(57)【要約】【課題】既存の循環路や浴槽を用いてドレンを排出させる熱源装置に関し、ドレン排出の適正化を実現するとともに、浴槽排水時以外にはドレン排出を阻止し、ドレンの浴槽水への混入を防止を図る。【解決手段】燃焼排気の潜熱を熱交換する熱交換手段（二次熱交換器１４）を備え、その熱交換により発生するドレンをドレンタンク２４に溜め、浴槽８の浴槽水レベルが所定レベル以下に移行した場合に前記ドレンタンクの前記ドレンを浴槽側に排出させる熱源装置（給湯・追焚装置２）であって、前記ドレンタンクのドレンレベルを検出するレベルセンサ（水位センサ１１４、１１６）と、前記レベルセンサの検出情報を取り込み、前記ドレンレベルが所定レベルに到達した際に、制御出力を発生する制御手段（制御装置８２）と、前記制御出力により、浴槽の排水を促す報知情報を報知する報知手段（音声報知部１４８、１５０等）とを備える構成である。【選択図】図１
2008170095.tif 000002
【特許請求の範囲】
【請求項１】
燃焼排気の潜熱を熱交換する熱交換手段を備え、その熱交換により発生するドレンをドレンタンクに溜め、浴槽の浴槽水レベルが所定レベル以下に移行した場合に前記ドレンタンクの前記ドレンを前記浴槽側に排出させる熱源装置であって、
前記ドレンタンクのドレンレベルを検出するレベルセンサと、
前記レベルセンサの検出情報を取り込み、前記ドレンレベルが所定レベルに到達した際に、制御出力を発生する制御手段と、
前記制御出力により、浴槽の排水を促す報知情報を報知する報知手段と、
を備えることを特徴とする熱源装置。
【請求項２】
請求項１記載の熱源装置において、
前記ドレンタンクの前記ドレンレベルが所定レベルに到達した後、前記報知情報が報知されても、前記ドレンタンクの前記ドレンレベルが前記所定レベルにある場合には、前記熱交換手段への通水量を抑制することを特徴とする熱源装置。
【請求項３】
請求項１記載の熱源装置において、
前記ドレンタンクの前記ドレンレベルが所定レベルに到達した後、前記報知情報が報知されても、前記ドレンタンクの前記ドレンレベルが前記所定レベルにある場合には、前記熱交換動作を停止させることを特徴とする熱源装置。
【請求項４】
請求項１、２又は３記載の熱源装置において、
前記報知手段は、音声を発する音声出力手段、映像表示をする表示手段のいずれか一方又は双方であることを特徴とする熱源装置。
【請求項５】
請求項１記載の熱源装置において、
前記ドレンタンクのドレン排出の後、前記浴槽水の循環路を給水により洗浄する洗浄手段を備えることを特徴とする熱源装置。
【請求項６】
燃焼排気の潜熱を熱交換する熱交換手段を備え、その熱交換により発生するドレンをドレンタンクに溜め、浴槽の浴槽水レベルが所定レベル以下に移行した場合に前記ドレンタンクの前記ドレンを前記浴槽側に排出させる熱源装置のドレン処理方法であって、
前記ドレンタンクのドレンレベルを検出する処理と、
前記ドレンレベルが所定レベルに到達した際に、制御出力を発生する処理と、
前記制御出力により、浴槽の排水を促す報知情報を報知する処理と、
を含むことを特徴とする熱源装置のドレン処理方法。
【請求項７】
請求項６記載の熱源装置のドレン処理方法において、
前記ドレンタンクの前記ドレンレベルが所定レベルに到達した後、前記報知情報が報知されても、前記ドレンタンクの前記ドレンレベルが前記所定レベルにある場合には、前記熱交換手段への通水量を抑制する処理を含むことを特徴とする熱源装置のドレン処理方法。
【請求項８】
請求項６記載の熱源装置のドレン処理方法において、
前記ドレンタンクの前記ドレンレベルが所定レベルに到達した後、前記報知情報が報知されても、前記ドレンタンクの前記ドレンレベルが前記所定レベルにある場合には、前記熱交換動作を停止させる処理を含むことを特徴とする熱源装置のドレン処理方法。
【請求項９】
燃焼排気の潜熱を熱交換する熱交換手段を備え、その熱交換により発生するドレンをドレンタンクに溜め、浴槽の浴槽水レベルが所定レベル以下に移行した場合に前記ドレンタンクの前記ドレンを前記浴槽側に排出させる処理をコンピュータにより実行される、熱源装置のドレン処理プログラムであって、
前記ドレンタンクのドレンレベルが所定レベルに到達した際に、制御出力を発生するステップと、
前記制御出力により、浴槽の排水を促す報知情報を報知させる指示を出すステップとを含むことを特徴とする熱源装置のドレン処理プログラム。
【発明の詳細な説明】
【技術分野】
【０００１】
本発明は、燃焼排気の潜熱を熱交換する熱交換器を備える熱源装置のドレン処理に係り、特に、既存の循環路や浴槽を用いてドレンを排出させる熱源装置、そのドレン処理方法及びそのドレン処理プログラムに関する。
【背景技術】
【０００２】
潜熱を熱交換する熱交換器では熱交換によってドレンが発生するが、そのドレンは強酸性であり、そのまま機器外へと排出させないために、発生したドレンを中和等の処理を施して溜め、一定のタイミングで浴槽等を通して排出させている。
【０００３】
このようなドレン排出に関し、特許文献１には、ドレイン管を介して風呂給湯系統の往き管路に接続されているドレイン受けと、ポンプ、逆止弁、排水電磁弁を備えたドレイン管とを備えるとともに、ドレイン管と往き管路との合流部の下流側の往き管路に風呂電磁弁を備え、ドレイン受け内のドレインが、ドレイン管を通って往き管路に入り、浴槽に送られ、浴槽の排出口から排水される点が開示されている。
【０００４】
また、特許文献２には、不用水を溜める排水タンクと、この排水タンクに希釈水を供給し、不用水を希釈する手段と、浴槽の排水部が解放状態にあることを検出する検出手段とを備え、この検出手段の検出に基づき、排水タンクの不用水を浴槽に排水すること、また、排水タンクの不用水が所定量を越えた場合には不用水の発生を抑制することが開示されている。
【特許文献１】特開２００３−０４２５６６号公報（要約、図１等）
【特許文献２】特開２００５−２６５２２８号公報（要約、図１等）
【発明の開示】
【発明が解決しようとする課題】
【０００５】
ところで、特許文献１、２のドレン排出処理では、ドレンをドレンタンクに溜め、浴槽をドレンの排出経路に用いた場合に、ドレンの排出を浴槽排水に同期させる必要があるし、浴槽排水が行われなければ、ドレン排出ができないという不都合がある。中和処理がされたドレンであっても、浴槽に流し込み、滞留させることは避けるべきであろう。
【０００６】
ドレンタンク内のドレンが排出レベルに到達するまで、浴槽水の排水が行われないとすれば、衛生上の問題もある。
【０００７】
そこで、このような課題に鑑み、本発明の目的は、浴槽をドレンの排出経路に用いる熱源装置に関し、ドレン排出の適正化を実現することにある。
【０００８】
また、本発明の他の目的は、浴槽をドレンの排出経路に用いる熱源装置に関し、浴槽排水時以外にはドレン排出を阻止し、ドレンの浴槽水への混入を防止することにある。
【課題を解決するための手段】
【０００９】
上記目的を達成するため、本発明は、潜熱の熱交換により発生したドレンを浴槽を利用して排出処理する熱源装置に関し、ドレンタンクのドレンレベルが所定レベルに達した場合には、浴槽の排水を促す報知情報を報知し、それでも浴槽が排水状態とならない場合には、ドレンの発生を抑制させ、さらに、ドレンタンクの処理能力が限界に達した場合には、熱交換動作を制限させることで、浴槽水へとドレンが混入するのを防止する。
【００１０】
上記目的を達成するため、本発明の第１の側面は、燃焼排気の潜熱を熱交換する熱交換手段を備え、その熱交換により発生するドレンをドレンタンクに溜め、浴槽の浴槽水レベルが所定レベル以下に移行した場合に前記ドレンタンクの前記ドレンを前記浴槽側に排出させる熱源装置であって、前記ドレンタンクのドレンレベルを検出するレベルセンサと、前記レベルセンサの検出情報を取り込み、前記ドレンレベルが所定レベルに到達した際に、制御出力を発生する制御手段と、前記制御出力により、浴槽の排水を促す報知情報を報知する報知手段とを備える構成である。斯かる構成により、上記の目的が達成される。
【００１１】
この熱源装置において、好ましくは、前記ドレンタンクの前記ドレンレベルが所定レベルに到達した後、前記報知情報が報知されても、前記ドレンタンクの前記ドレンレベルが前記所定レベルにある場合には、前記熱交換手段への通水量を抑制する構成としてもよい。斯かる構成によっても、上記の目的が達成される。
【００１２】
この熱源装置において、好ましくは、前記ドレンタンクの前記ドレンレベルが所定レベルに到達した後、前記報知情報が報知されても、前記ドレンタンクの前記ドレンレベルが前記所定レベルにある場合には、前記熱交換動作を停止させる構成としてもよい。斯かる構成によっても、上記の目的が達成される。
【００１３】
この熱源装置において、好ましくは、前記報知手段は、音声を発する音声出力手段、映像表示をする表示手段のいずれか一方又は双方である構成としてもよい。斯かる構成により、上記の目的が達成される。
【００１４】
この熱源装置において、好ましくは、前記ドレンタンクのドレン排出の後、前記浴槽水の循環路を給水により洗浄する洗浄手段を備える構成としてもよい。斯かる構成により、上記の目的が達成される。    
【００１５】
上記目的を達成するため、本発明の第２の側面は、燃焼排気の潜熱を熱交換する熱交換手段を備え、その熱交換により発生するドレンをドレンタンクに溜め、浴槽の浴槽水レベルが所定レベル以下に移行した場合に前記ドレンタンクの前記ドレンを前記浴槽側に排出させる熱源装置のドレン処理方法であって、前記ドレンタンクのドレンレベルを検出する処理と、前記ドレンレベルが所定レベルに到達した際に、制御出力を発生する処理と、前記制御出力により、浴槽の排水を促す報知情報を報知する処理とを含む構成である。斯かる構成により、上記の目的が達成される。
【００１６】
この熱源装置のドレン処理方法において、好ましくは、前記ドレンタンクの前記ドレンレベルが所定レベルに到達した後、前記報知情報が報知されても、前記ドレンタンクの前記ドレンレベルが前記所定レベルにある場合には、前記熱交換手段への通水量を抑制する処理を含む構成としてもよい。斯かる構成によっても、上記の目的が達成される。
【００１７】
この熱源装置のドレン処理方法において、好ましくは、前記ドレンタンクの前記ドレンレベルが所定レベルに到達した後、前記報知情報が報知されても、前記ドレンタンクの前記ドレンレベルが前記所定レベルにある場合には、前記熱交換動作を停止させる処理を含む構成としてもよい。斯かる構成によっても、上記の目的が達成される。
【００１８】
上記目的を達成するため、本発明の第３の側面は、燃焼排気の潜熱を熱交換する熱交換手段を備え、その熱交換により発生するドレンをドレンタンクに溜め、浴槽の浴槽水レベルが所定レベル以下に移行した場合に前記ドレンタンクの前記ドレンを前記浴槽側に排出させる処理をコンピュータにより実行される、熱源装置のドレン処理プログラムであって、前記ドレンタンクのドレンレベルが所定レベルに到達した際に、制御出力を発生するステップと、前記制御出力により、浴槽の排水を促す報知情報を報知させる指示を出すステップとを含む構成である。斯かる構成により、上記の目的が達成される。
【発明の効果】
【００１９】
(1) 本発明によれば、ドレンタンクに溜まったドレンが所定レベルに達した場合、使用者にドレンの排出を促す報知情報を報知し、浴槽排水時以外にはドレン排出を阻止することで、浴槽水にドレンを混入させないようにすることができる。
【００２０】
(2) ドレンが所定レベルに達しても浴槽が排水状態とならない場合、ドレンの抑制処理を行うことで、熱源装置の使用を継続しつつ、ドレン排出間隔を制御することができる。
【００２１】
(3) ドレンがドレンタンクの限界レベルまで溜まった場合に、熱源装置の運転を制限することで、ドレンタンクのオーバーフローや浴槽水への強制排出を防止することができる。
【発明を実施するための最良の形態】
【００２２】
〔第１の実施の形態〕
【００２３】
本発明の第１の実施の形態に係る給湯・追焚装置について、図１を参照して説明する。図１は、給湯・追焚装置を示す図である。
【００２４】
熱源装置の一例である給湯・追焚装置２には、筐体４の内部に給湯用の熱交換を行う給湯用燃焼室６と、浴槽８内の浴槽水（ＢＷ）を追焚する追焚用燃焼室１０とが備えられている。給湯用燃焼室６には、熱交換手段として、燃焼排気中の主として顕熱を熱交換する一次熱交換器１２と、燃焼排気中の主として潜熱を熱交換する二次熱交換器１４とが設置されており、追焚用燃焼室１０には、燃焼排気中の主として顕熱を熱交換する追焚用熱交換器１６が設置されている。これらの熱交換器は、双方向運転又は単独運転のいずれの運転形態でも運転が可能であり、一方の機能を他方で活用する機能として、給湯用の一次熱交換器１２と二次熱交換器１４とで加熱した湯を浴槽８へと湯張りすることが可能である。
【００２５】
二次熱交換器１４には、燃焼排気中の潜熱を熱交換することにより、燃焼排気中の水蒸気が凝縮して、ドレン１８が生じる。このドレン１８はいわゆる不用水であり、水蒸気が凝縮したもの以外のものも含む。
【００２６】
給湯用燃焼室６には、二次熱交換器１４に発生したドレン１８を回収するドレン受け２０が設置されている。また、給湯・追焚装置２には、強酸性のドレン１８を中和する中和剤が入れられた中和器２２、中和処理したドレン１８を排出処理するまで溜めておくドレンタンク２４が備えられている。ドレン受け２０と中和器２２とは、ドレン管路２６で接続されている。
【００２７】
この給湯・追焚装置２には、上水Ｗを給湯用燃焼室６側に流入させる給水管路２８が設置されており、その入口に設けられた給水口３０から供給された上水Ｗは、その供給流量を測定する流量センサ３２、上水Ｗの給水温度を測定する給水温度センサ３４を通過して二次熱交換器１４又はバイパス管路３６側に供給される。このバイパス管路３６は、後述するドレン１８の発生を抑制するドレン抑制手段を構成する。バイパス管路３６に流入した上水Ｗは、二次熱交換器１４を通過した上水Ｗと合流して、一次熱交換器１２へと流入する。このバイパス管路３６側と二次熱交換器１４側への分流は、給水管路２８に設置され、上水Ｗの流量制御手段であるとともにドレン抑制手段である流路切替弁３８により行われる。この流路切替弁３８には、通水量を決める流量比が設定されている。例えば、通常時には、バイパス管路３６側と二次熱交換器１４側とに１対９の割合で流すのに対し、ドレン抑制時には、逆に９対１の割合で上水Ｗを流すようにして、二次熱交換器１４側への通水量を抑制する。この流量比は、予め実験により定める構成としてもよい。
【００２８】
また、給水管路２８には、上水Ｗを分流させ、供給された上水Ｗの一部を一次熱交換器１２から流れてくる湯ＨＷに合流させる一次バイパス管路４０が接続されている。一次バイパス管路４０には、上水Ｗの分流量を制御するバイパス水制御弁４２が設置されている。このような構成により、給湯される湯ＨＷの設定温度に対する応答性を高めることが可能となる。
【００２９】
一次バイパス管路４０からの上水Ｗと合流した湯ＨＷは、給湯管路４４を通って給湯口４６から出湯される。給湯管路４４上には、一次熱交換器１２で熱交換し、一次バイパス管路４０からの上水Ｗと合流する前の湯ＨＷの温度を測定する出湯温センサ４８、合流した後の湯ＨＷの流量を制御する給湯制御弁５０、合流した湯ＨＷの温度を測定する混合温センサ５２が設置されている。さらに、給湯管路４４には、給湯口４６の手前で分岐され、浴槽８側へと湯ＨＷを注湯する注湯手段であるとともに後述する配管洗浄手段である注湯管路５４が接続されている。この注湯管路５４には、注湯量の制御を行う注湯電磁弁５６、注湯量を計測する注湯量センサ５８、注湯管路５４内で湯が逆流するのを防止するための逆止弁６０が設置されている。この注湯電磁弁５６及び逆止弁６０は、注湯側と浴槽８側とを縁切りする手段である。
【００３０】
次に、浴槽水ＢＷの追焚について説明する。給湯・追焚装置２の筐体４内部には、浴槽水ＢＷを追焚用燃焼室１０に導いて追焚用熱交換器１６で熱交換をさせ、再び浴槽８へと流入させる追焚循環路６２が設置されている。追焚循環路６２と浴槽８との接続部分には循環アダプタ６４が取り付けられており、浴槽水ＢＷを追焚循環路６２へと流入させ、又は浴槽８へと流出させるコネクタの役割を果たしている。浴槽８には、浴槽水ＢＷ又は熱交換により発生したドレン１８の排出を行う排水部６６が設置されている。また、追焚循環路６２には、浴槽水ＢＷを循環させる動力源であるふろポンプ６８、浴槽水ＢＷの流量を検出するふろ流水スイッチ７０、浴槽８から追焚循環路６２へと流入した浴槽水ＢＷの温度を測定するふろ入温度センサ７２、追焚循環路６２から浴槽８へと流出させる浴槽水ＢＷの温度を測定するふろ出温度センサ７４、浴槽水レベルセンサであるふろ水位センサ７６が設置されている。また、追焚循環路６２には、上記の注湯管路５４が接続されており、給湯側から浴槽８側へと追焚循環路６２を通して、注湯することができる。
【００３１】
追焚循環路６２には、流路を切替える切替弁７８が設置され、その切替弁７８の一端には、ドレンタンク２４からドレン１８を追焚循環路６２へと導くドレン排出管路８０が接続されている。このドレン排出管路８０には、追焚循環路６２側からドレンタンク２４側へとドレン１８が逆流するのを防止する逆止弁８１が設けられている。上記のドレン排出管路８０、切替弁７８、ふろポンプ６８、追焚循環路６２は、ドレン排出手段を構成する。
【００３２】
次に、ドレンタンク２４から浴槽８側へのドレン排出処理について説明する。浴槽水レベルセンサであるふろ水位センサ７６の検出結果により、浴槽８が排水状態であると制御装置８２が判断すると、ドレン１８の排出時期であるとして、切替弁７８をドレン排出管路８０側へと切替えるように動作指示が送られる。ドレンタンク２４から浴槽８側へのドレン排出経路が形成され、これにより追焚循環路６２には、浴槽８から浴槽水を循環させることができなくなる。そして、ふろポンプ６８を動作させて、追焚循環路６２を通してドレン１８を浴槽８へと排出させる構成である。
【００３３】
この給湯・追焚装置２の筐体４内には、給湯制御や追焚処理の制御、及び後述するドレンの抑制処理等を制御する制御装置８２が設置されている。そして、この制御装置８２は、給湯・追焚装置２の筐体４外にある台所リモコン装置８４や浴室リモコン装置８６等の外部リモコンと接続しており、設定温度の変更や給湯指令に対する制御、ドレンタンク２４の状態や後述する運転制御の報知等の制御を行う。
【００３４】
給湯・追焚装置２の熱源として、給湯用燃焼室６側に給湯用バーナ８８、追焚用燃焼室１０側に追焚用バーナ９０が設置されている。この給湯・追焚装置２には、燃料ガスＧがガス管９２を通じて提供されており、元ガス電磁弁９４及びガス比例弁９６を介して各バーナ８８、９０に供給されている。そして、給湯用バーナ８８側には、切替電磁弁９８、１００、ガス電磁弁１０２が設置され、追焚用バーナ９０側には、ガス電磁弁１０４が設置されて、燃料ガスＧの切替及び調整を行う。また、各燃焼室６、１０には、空気を供給するためのファン１０６、１０８がそれぞれ設置されている。
【００３５】
次に、ドレンタンクのドレンのレベル検出手段について、図２を参照して説明する。図２は、第１の実施の形態に係るドレンタンクを示す図である。図１と同一部分には、同一の番号を付してある。
【００３６】
ドレンタンク本体１１０の内部には、溜まったドレン１８のレベルを検出するドレンレベルセンサとして、天井側から底側に向かって長さの異なる３本の電極が設置されている。最も長い電極は、ベース電極（Ｃ）１１２であり、順に、後述するドレン抑制処理に移行するレベルとして水位（Ｂ）を検出する水位センサ１１４、ドレンタンク２４に溜めることができる限界レベルとして水位（Ｈ）を検出する水位センサ１１６が設置されている。ドレンタンク本体１１０の側面には、例えば、水位センサ１１６よりも高い位置に、中和器２２で中和処理されたドレン１８を流入させるドレン流入口１１８、ドレンタンク２４内に溜まった所定レベル以上のドレン１８を排出するオーバーフロー排出口１２０が備えられている。ドレンタンク本体１１０の底部には、追焚循環路６２側へとドレン１８を排出させるドレン排出口１２２が形成されて、ドレン排出管路８０に接続されている。
【００３７】
次に、給湯・追焚装置の制御装置について、図３を参照して説明する。図３は、制御装置を示す図である。図３において、図１と同一部分には、同一の番号を付してある。
【００３８】
制御装置８２は、マイクロコンピュータ等で構成された制御部１２４が設置されており、この制御部１２４は、例えば、各種演算を行うＣＰＵ（Central Processing Unit ）１２６や記憶部１２８、タイマ１３０等で構成されている。この記憶部１２８は、後述するドレン抑制制御、ドレンの排出処理や浴槽の排水を促す報知処理等に関するプログラム、各種設定値、音声による報知内容等の各種データが記憶された記憶領域であるＲＯＭ（Read Only Memory）１３２、各制御処理に対する作業領域として用いられるＲＡＭ（Random Access Memory）１３４で構成される。その他、記憶部１２８は、不揮発性メモリであるＥＥＰＲＯＭ（Electrically erasable,Programmable Read Only Memory ）等で構成してもよい。また、タイマ１３０は、給湯・追焚装置２の各動作時間等を計測しており、時間的条件を有する動作制御に用いられる。制御部１２４には、水位センサ１１４、１１６、ふろ水位センサ７６、ふろ流水スイッチ７０の他、その他のセンサとして、ふろ入温度センサ７２、ふろ出温度センサ７４や流量センサ３２等の検出結果が送られる。そして、制御部１２４からは、各制御処理によって、切替弁７８、流路切替弁３８、ふろポンプ６８の他、その他の機能部品であるガス比例弁９６、切替電磁弁９８、１００、ガス電磁弁１０２、１０４等に動作指示を送る。
【００３９】
制御部１２４は、既述の台所リモコン装置８４の制御部１３６、浴室リモコン装置８６の制御部１３８と連結しており、各リモコン装置８４、８６に備えられているキースイッチ等の操作部１４０、１４２に入力された設定温度変更等の動作指令を受け、給湯・追焚装置２の各部に動作指示を送る。また、各リモコン装置８４、８６には、報知手段として、排水ランプ表示部１４４、１４６、音声出力手段である音声報知部１４８、１５０、映像表示等をする表示手段であるその他の表示部１５２、１５４の他、図示しない報知手段が設置されており、後述する報知処理として、制御装置８２の制御部１２４が発した制御出力を受けた各制御部１３６、１３８は、これらの報知手段に浴槽８を排水状態にするように促す旨や、後述する給湯・追焚装置２の運転を制限する旨の報知情報を報知させる。
【００４０】
次に、給湯・追焚装置の外部リモコン装置について、図４、図５を参照して説明する。図４は、台所リモコン装置の一例を示す図、図５は、浴室リモコン装置の一例を示す図である。図１、図３と同一部分には同一の符号を付してある。
【００４１】
台所リモコン装置８４には、図４に示すように、操作部１４０として例えば、電源スイッチ１４０１、ふろ自動運転スイッチ１４０２、追焚スイッチ１４０３、給湯温度調整スイッチ１４０４、運転予約スイッチ１４０５、設定スイッチ１４０６等が備えられており、これらを操作すると、既述のように、給湯・追焚装置２の制御部１２４を介して各動作部に動作指示が送られる。また、排水ランプ表示部１４４、音声報知部１４８が備えられているとともに、その他の表示部１５２として、表示画面１５２１やその他の状態表示１５２２等が設置されている。以上のような構成により、ドレンタンク２４に所定レベルのドレン１８が溜まった場合、給湯・追焚装置２の使用者に対して、浴槽８を排水状態にさせるように促すことができる。
【００４２】
また、浴室リモコン装置８６には、図５に示すように、操作部１４２として例えば、電源スイッチ１４２１、ふろ自動運転スイッチ１４２２、追焚スイッチ１４２３、給湯温度調整スイッチ１４２４、運転予約スイッチ１４２５、設定スイッチ１４２６等が備えられており、これらを操作すると、既述のように、給湯・追焚装置２の制御部１２４を介して各動作部に動作指示が送られる。また、排水ランプ表示部１４６、音声報知部１５０が備えられているとともに、その他の表示部１５４として、表示画面１５４１やその他の状態表示１５４２等が設置されている。以上のような構成により、ドレンタンク２４に所定レベルのドレン１８が溜まった場合、給湯・追焚装置２の使用者に対して、浴槽８を排水状態にさせるように促すことができる。
【００４３】
次に、給湯・追焚装置の動作内容について、図６を参照して説明する。図６は、給湯・追焚装置の動作を示すフローチャートである。
【００４４】
電源を投入すると、機種設定の読込みやイニシャルテスト等のイニシャライズ処理を実行し（ステップＳ１）、各種センサの検出値、リモコン装置８４、８６等からの外部指示等の読込みを行う（ステップＳ２）。次に、浴槽水の排水監視を行う（ステップＳ３）。この排水監視は、ふろ水位センサ７６等により、浴槽８内の水位を監視することで行う。そして、その水位監視の結果に応じて、ドレンタンク２４内のドレン１８の排出処理制御（ステップＳ４）を実行する。ドレン１８の排出処理制御（ステップＳ４）の後、給湯動作を実行するか否かの判断を行う（ステップＳ５）。給湯動作の実行か否かは、例えば、給湯栓の開栓状態等により判断される。
【００４５】
給湯動作が実行された場合（ステップＳ５のＹＥＳ）には、例えば、給水量や設定温度を制御する給湯動作制御を実行する（ステップＳ６）。給湯動作制御を行った後、又は給湯動作が実行されなかった（ステップＳ５のＮＯ）場合には、自動湯張りの実行か否かの判断に移行する（ステップＳ７）。自動湯張りの実行か否かは、例えば、リモコン装置８４、８６のふろ自動運転スイッチ１４０２、１４２２が押されたか否かにより判断する。自動湯張りが実行された場合（ステップＳ７のＹＥＳ）には、自動湯張り制御に移行する（ステップＳ８）。
【００４６】
自動湯張り制御の後、又は、自動湯張りが実行されなかった（ステップＳ７のＮＯ）場合には、追焚実行か否かの判断に移行する（ステップＳ９）。追焚実行か否かは、例えばリモコン装置８４、８６等の追焚スイッチ１４０３、１４２３が押されたか否かにより判断する。追焚を実行する場合（ステップＳ９のＹＥＳ）には、ふろポンプ６８の動作や追焚用バーナ９０等を制御する追焚制御に移行する（ステップＳ１０）。追焚制御を行った後、又は追焚が実行されなかった場合（ステップＳ９のＮＯ）には、その他の動作を実行するか否かの判断に移行する（ステップＳ１１）。その他の動作は、例えば、足し湯の要求があった場合等に実行される。その他の動作を実行する場合には、その他の動作制御に移行する（ステップＳ１２）。そして、その他の動作制御を実行した後、又は、その他の動作が実行されない場合（ステップＳ１１のＮＯ）には、ステップＳ２に戻る。給湯・追焚装置２は、以上の処理動作を繰り返し行う。
【００４７】
次に、給湯・追焚装置２の浴槽の排水を促す報知処理及びドレン排出処理を説明する。図７は、給湯・追焚装置の浴槽の排水を促す報知処理及びドレン排出処理を示すフローチャートである。
【００４８】
給湯・追焚装置２の浴槽８の排水を促す報知処理及びドレン排出処理では、浴槽８が排水タイミングとなっているか否かを判断し、排水タイミングであればドレンの排出処理とともにドレン排出手段の配管洗浄処理を行い、排水タイミングでなければ、給湯・追焚装置２の使用者に対してドレンタンク２４内に所定レベルまでドレン１８が溜まったことを報知して、ドレン１８の排出を促す。それでも排水状態とならない場合には、ドレン１８を抑制させる処理や給湯・追焚装置２の運転を制御させて、ドレンタンク２４からドレン１８が溢れるのを防止する。
【００４９】
まず、浴槽８が排水タイミングか否かの判断手段として、浴槽水ＢＷの水位が所定レベル以下となっているか否かを監視する（ステップＳ２１）。例えば、基準レベルとして、浴槽８内の所定位置や循環アダプタ６４の設置高さ等を定めておき、ふろ水位センサ７６による水位検出により、浴槽８内の水位が、その基準レベル以下となっているか否かを監視する。基準レベル以下の状態が所定時間Ｔ１（例えば、５分間）継続し、又は所定時間Ｔ１の経過後、さらに浴槽８内の水位が下がっている場合（ステップＳ２２のＹＥＳ）であって、追焚動作がない（ステップＳ２３のＹＥＳ）場合には、ドレン排出処理に移行する。
【００５０】
ドレン排出処理では、切替弁７８を浴槽８側からドレンタンク２４側に切替えて、ドレンタンク２４から追焚循環路６２を介して浴槽８側へとドレン１８を排出させるドレン排出経路が形成される（ステップＳ２４）。次に、ドレン１８を排出させる動力源であるふろポンプ６８のスイッチをＯＮにし（ステップＳ２５）、所定時間Ｔ２（例えば、２分間）が経過するまで運転させ（ステップＳ２６のＹＥＳ）、所定時間経過後にふろポンプ６８をＯＦＦにする（ステップＳ２７）。ふろポンプ６８をＯＦＦにしたら、切替弁７８を再び浴槽８側へと切り替えて（ステップＳ２８）、ドレン１８の排出処理を終了する。
【００５１】
ドレン排出処理が終了したら、追焚循環路６２の配管洗浄処理に移行する。制御装置８２からの給水指令や、ふろ水位センサ７６の検出結果等から給湯機能が使用されているか否かを確認し（ステップＳ２９）、給湯機能が使用されている場合には、給湯動作が終了するまで待機し（ステップＳ２９のＮＯ）、給湯がされていない場合や給湯が終了した場合（ステップＳ２９のＹＥＳ）には、配管洗浄手段である注湯管路５４を通して追焚循環路６２側に湯又は水を所定量（例えば、６リットル）だけ流す（ステップＳ３０）。この注湯された湯は、追焚循環路６２に付着したドレン１８を洗い流す他、ふろポンプ６８が次回動作するときの呼び水の役割を果たす。なお、注湯する湯又は水の量は、追焚循環路６２の長さや、給湯・追焚装置２の規格等により変更可能なようにしてもよい。
【００５２】
浴槽８内の水位が、排水タイミングを示す基準レベル以下になっていない（ステップＳ２１のＮＯ）場合には、ドレンタンク２４内のドレン１８がドレン抑制処理に移行するレベルである水位（Ｂ）以上になっているか否かを判断する（ステップＳ３１）。ドレン１８が水位（Ｂ）に達していない（ステップＳ３１のＮＯ）場合には、排水タイミングの判断（ステップＳ２１）に戻る。ドレン１８が水位（Ｂ）に達している（ステップＳ３１のＹＥＳ）場合には、給湯・追焚装置２の使用者へと排水を促すように、各リモコン装置８４、８６の排水ランプ表示部１４４、１４６を点滅させて視覚的に報知する（ステップＳ３２）とともに、例えば、音声報知１として、音声報知部１４８、１５０から「ドレンタンクがもうすぐ満水になります。浴槽の排水栓を抜いてください。」との内容の音声を所定回数（例えば、２回）発する（ステップＳ３３）。
【００５３】
報知処理を行った後、浴槽８が排水タイミングとなっているか否かの判断に移行する（ステップＳ３４）。即ち、報知により、もしくは報知処理の前に排水部６６の排水栓が抜かれて排水タイミングとなれば、ドレン抑制処理に移行せず、ドレン排出処理に移行する。ドレン排出処理のステップＳ３５〜ステップＳ３９は、既述のステップＳ２２〜ステップＳ２６に対応するので、説明を省略する。ふろポンプ６８を動作させて、所定時間Ｔ２が経過したら（ステップＳ３９のＹＥＳ）、ドレンタンク２４内のドレン１８が水位（Ｂ）以下となっているか否かを判断する（ステップＳ４０）。水位（Ｂ）以下となっていない場合には、ふろポンプ６８や切替弁７８等のドレン排出手段の異常として、例えばリモコン装置８４、８６にエラー表示や音声による報知、給湯・追焚装置２の強制停止等の処理を行う。
【００５４】
ドレンタンク２４内のドレン１８が水位（Ｂ）以下となっている場合（ステップＳ４０のＹＥＳ）には、排水ランプ表示部１４４、１４６等の報知処理を解除し（ステップＳ４１）、ステップＳ２７に移行して、ドレン排出処理を終了し、配管洗浄処理に移行する。
【００５５】
また、浴槽８内が排水状態となっていない場合、即ち、排水を促す報知がされたとしても排水部６６の排水栓を抜かないでそのまま使用した場合（ステップＳ３４のＮＯ）は、ドレン１８の発生量を抑制させるドレン抑制処理に移行する（ステップＳ４２）。ドレン抑制処理では流路切替弁３８を切替えて、上水Ｗの二次熱交換器１４側への通水量を抑制して、バイパス管路３６側に流入する割合を増加させる。このように、二次熱交換器１４側への上水Ｗの通水量を減らすことで、熱の回収率は低下するが、ドレン１８の発生量を抑えることができ、ドレンタンク２４が満杯になるまでの時間を延ばすことが可能となり、ドレン１８の排出間隔の制御が可能となる。
【００５６】
ドレン抑制処理を開始したら、ドレン１８が、ドレンタンク２４の限界レベルである水位（Ｈ）に達したか否かを監視する（ステップＳ４３）。ドレン１８が水位（Ｈ）に達しない（ステップＳ４３のＮＯ）場合には、給湯機能を動作させているか否かを監視する（ステップＳ４４）。給湯機能の動作監視は、例えば上水Ｗの給水量を測定する流量センサ３２等により行う。給湯を行っていない（ステップＳ４４のＮＯ）の場合には、ドレンタンク２４内のドレンレベルの監視（ステップＳ４３）に戻る。給湯機能を動作させている（ステップＳ４４のＹＥＳ）場合には、音声により、ドレン１８がもうすぐ満杯になる旨を報知する（ステップＳ４５）。ここでは、例えば、音声報知２として、「ドレンタンクがもうすぐ満杯になります。すぐに浴槽の排水栓を抜いて下さい。」との内容を２回程度報知する。そして、音声報知した後は、浴槽８が排水タイミングとなっているかを監視し（ステップＳ４６）、排水タイミングとなっていれば（ステップＳ４６のＹＥＳ）、ドレン排出処理に移行し、排水タイミングとなっていなければ（ステップＳ４６のＮＯ）、ドレンタンク２４内のドレンレベルの監視（ステップＳ４３）に戻る。
【００５７】
ドレンタンク２４内のドレンレベルの監視により、ドレンレベルが水位（Ｈ）以上である（ステップＳ４３のＹＥＳ）場合には、ドレンタンク２４が満水である旨や排水栓を抜くように促す報知情報を音声で報知する（ステップＳ４７）。この場合、例えば、音声報知３として、「ドレンタンクが満水になりました。すぐに浴槽の排水栓を抜いてください。」との内容を例えば、５回報知する。音声報知をした後は、浴槽８が排水タイミングとなっているかの監視を行い（ステップＳ４８）、排水タイミングとなっていれば（ステップＳ４８のＹＥＳ）、ドレン排出処理に移行する。このドレン排出処理のステップＳ４９〜ステップＳ５３は、既述のステップＳ２２〜ステップＳ２６に対応するので、説明を省略する。ふろポンプ６８を動作させて、所定時間Ｔ２が経過したら（ステップＳ５３のＹＥＳ）、ドレンタンク２４内のドレン１８が水位（Ｈ）以下となっているか否かを判断する（ステップＳ５４）。水位（Ｈ）以下となっていない場合には、ふろポンプ６８や切替弁７８等のドレン排出手段の異常として、例えばリモコン装置８４、８６にエラー表示や音声による報知、給湯・追焚装置２の強制停止等の処理を行う。
【００５８】
ドレンタンク２４内のドレン１８が水位（Ｈ）以下となっている場合（ステップＳ５４のＹＥＳ）には、排水ランプ表示部１４４、１４６等の報知処理を解除し（ステップＳ５５）、ドレン抑制処理を終了させ（ステップＳ５６）、ステップＳ２７に移行し、所定時間経過後にふろポンプ６８をＯＦＦにし、切替弁７８を再び浴槽８側へと切り替えて（ステップＳ２８）、ドレン排出処理を終了した後、配管洗浄処理（ステップＳ２９、ステップＳ３０）を行う。
【００５９】
ドレンタンク２４が限界水位（Ｈ）を越えたことを報知しても、浴槽８が排水タイミングとならない（ステップＳ４８のＮＯ）場合には、所定時間Ｔ３（例えば、３０分間）が経過するまで浴槽８の監視を繰り返し行う（ステップＳ５７のＮＯ）。そして、所定時間Ｔ３が経過しても排水タイミングとならない（ステップＳ５７のＹＥＳ）場合には、音声報知により、給湯機能を使用できなくなる旨の警告が発せられる（ステップＳ５８）。この警告は、例えば音声報知４として、「お湯が使えなくなります。すぐに浴槽の排水栓を抜いてください。」との内容が５回程度報知される。
【００６０】
音声報知４がされると、給湯・追焚装置２は、運転制御処理に移行する（ステップＳ５９）。運転制御処理では、給湯・追焚装置２の運転によりドレン１８が発生するのを防止させるため、給湯・追焚装置２の熱交換動作を停止させる。この運転制御処理では、全ての熱交換を停止させる他、ドレン１８の発生がほとんど無い追焚機能は使用できる構成としてもよい。また、この運転制御処理では、例えば、給湯用バーナ８８側へと燃料ガスＧの供給を遮断するため、切替電磁弁９８、１００やガス電磁弁１０２を閉じるように制御したり、給水量とバーナの燃焼量とを連動させて、給水を遮断することでバーナの燃焼を停止させるようにしてもよい。斯かる処理により、ドレンタンク２４に溜まったドレン１８のレベルに応じて使用者へとドレン１８の排出を促す報知情報を報知するとともに、ドレン抑制や運転制御を行うことで、ドレン１８の排出の適正化を図り、且つ浴槽水へのドレン混入を防止することが可能となる。
【００６１】
なお、上記の音声報知時の発声回数や報知内容は例示であり、給湯・追焚装置２の給湯量やドレン１８の発生量に応じて変更してもよく、また、使用者により報知回数を設定可能にしたり、所定の操作をするまで報知し続けるような構成にしてもよい。音声報知１〜４の切替は、例えば図７に示すドレン排出処理手順のステップ数等に応じて、制御装置８２もしくは各リモコン装置８４、８６の制御部１３６、１３８内等の記憶領域に記憶された音声報知データ１〜４を切替えるようにしてもよい。また、上記の報知処理では、言語による報知を行っているが、これに限られるものではなく、例えば、音声報知１〜４に対応して警告音を切り替える構成としてもよい。
【００６２】
また、上記の配管洗浄処理（ステップＳ２９、Ｓ３０）の処理について、図８、図９を参照して説明する。図８は、給湯・追焚装置の配管洗浄処理を示すフローチャートであり、図９は、ふろ配管洗浄のタイムチャートである。
【００６３】
ドレン１８の排出処理の後、浴槽８や追焚循環路６２が使用されていないことを確認するため、ふろ自動運転が終了しているか否かを確認する（ステップＳ１０１）。例えばリモコン装置８４、８６のふろ自動運転スイッチ１４０２、１４２２が押されているか否かにより判断する。この確認は、ふろ自動運転が終了するまで繰り返し行われる（ステップＳ１０１のＮＯ）。ふろ自動運転が終了している（ステップＳ１０１のＹＥＳ）場合には、浴槽８や追焚循環路６２等を使用する他の動作が行われているか（ステップＳ１０２）、各部のエラーがないか（ステップＳ１０３）、浴槽８に水がないか（ステップＳ１０４）の確認が行われ、配管洗浄の開始条件に適合しない（ステップＳ１０２、Ｓ１０３、Ｓ１０４のいずれか１つでもＮＯ）場合には、それが解消されるまで確認が行われる。なお、浴槽８に水があるか否かは、例えば排水部６６の排水栓を抜いたときに浴槽８内の水位が下がっているのをふろ水位センサ７６で監視し、既述の基準レベル以下になったときに浴槽８に水が無くなったものと判断するようにしてもよい。
【００６４】
浴槽８に水なしと判断した（ステップＳ１０４のＹＥＳ）場合には、所定時間Ｔ４（例えば、配管洗浄の回数が１回目は３分間、２回目は５分間）が経過するまで待機し（ステップＳ１０５）、所定時間Ｔ４の経過後にふろポンプ６８を駆動させる（ステップＳ１０６）。そして、ふろポンプ６８を駆動させたら、他の動作があるか否かやエラーの確認を行い（ステップＳ１０７、Ｓ１０８）、他の動作やエラーが無ければ（ステップＳ１０７、１０８のＹＥＳ）、所定時間Ｔ５（例えば１分間）が経過したか否かの判断を行う（ステップＳ１０９）。所定時間Ｔ５が経過していない（ステップＳ１０９のＮＯ）場合には、ステップＳ１０６に戻り、他の動作やエラーの確認（ステップＳ１０７、Ｓ１０８）に移行する。所定時間Ｔ５が経過した場合には、ふろポンプ６８をＯＦＦし（ステップＳ１１０）、浴槽８に水が無いか否かの判断を行う（ステップＳ１１１）。浴槽８内に水がある（ステップＳ１１１のＮＯ）場合には、上記ステップＳ１０５からＳ１１０までの処理を所定回数Ｎ（例えば、２回）行ったか否かの判断を行う（ステップＳ１１２）。処理回数のカウントは、例えば制御部１２４のタイマ１３０や記憶部１２８等で行うようにしてもよい。
【００６５】
所定回数Ｎの処理を行っていない（ステップＳ１１２のＮＯ）場合には、ステップＳ１０５の処理に移行する。この場合、前回の所定時間Ｔ４を変更するようにしてもよい（例えば、２回目は５分）。また、所定回数Ｎの処理を行っている（ステップＳ１１２のＹＥＳ）場合には、浴槽８内に水が残っていることから（ステップＳ１１１のＮＯ）、浴槽８が排水状態となっていないと判断でき、配管洗浄処理を終了する。
【００６６】
浴槽８内に水が無いと判断できる（ステップＳ１１１のＹＥＳ）場合には、給湯・追焚装置２が他の動作をしているか否か（ステップＳ１１３）、給湯の同時使用が無いか否か（ステップＳ１１４）の判断を行い、いずれの動作も無い（ステップＳ１１３のＹＥＳ、Ｓ１１４のＹＥＳ）場合には、注湯管路５４を通じて湯ＨＷを追焚循環路６２に所定量（例えば、６リットル）だけ流す（ステップＳ１１５）。注湯動作を行ったら、各部のエラーチェックを行い（ステップＳ１１６）、エラーが無ければ（ステップＳ１１６のＹＥＳ）、注湯が終了したか否かの判断を行う（ステップＳ１１７）。注湯が終了していれば（ステップＳ１１７のＹＥＳ）、配管洗浄処理は終了となり、注湯が終了していなければ（ステップＳ１１７のＮＯ）、ステップＳ１１３に戻って、注湯が終了するまで上記の処理を繰り返す。
【００６７】
以上の配管洗浄処理に対し、給湯・追焚装置２の各部の処理動作のタイミングは、図９に示す通りである。このタイムチャートでは、給湯・追焚装置２の運転スイッチ（Ａ）、表示画面１５２１、１５４１等の時計表示（Ｂ）、給湯燃焼表示（Ｃ）、自動スイッチ（Ｄ）、注湯電磁弁５６の動作（Ｅ）、二方弁（Ｆ）、給湯制御弁５０（Ｇ）、ふろポンプ６８（Ｈ）、ふろ流水スイッチ７０（Ｉ）、ふろ水位センサ７６（Ｊ）の処理動作について示している。また、処理のタイミングとして、Ｔ８０は水位取込み禁止タイム、Ｔ８１は残湯確認遅延タイム、Ｔ８２は残湯確認タイム、Ｔ１００はセンサチェックタイムを示す。
【００６８】
斯かる処理により、追焚循環路６２や浴槽８にドレン１８が残留するのを防止でき、次回の浴槽８の利用時に、ドレン１８が混入するのを防止することができる。
【００６９】
〔第２の実施の形態〕
【００７０】
次に、本発明の第２の実施の形態に係る熱源装置である給湯・追焚装置について、図１０、図１１を参照して説明する。図１０は、第２の実施の形態に係るドレンタンクを示す図、図１１は、第２の実施の形態に係る給湯・追焚装置の浴槽の排水を促す報知処理及びドレン排出処理を示すフローチャートである。なお、図１０において、図１、図２と同一部分には同一符号を付すとともに、その説明を省略する。
【００７１】
この実施の形態では、熱源装置のドレン抑制処理により、ドレン１８の発生量がほぼ０になる給湯・追焚装置２のドレン処理について説明する。
【００７２】
第２の実施の形態に係る給湯・追焚装置２のドレンタンク２４の内部には、ドレンレベルセンサとして長さの異なる２本の電極がドレンタンク２４の天井側から底部に向けて設置されている。長い電極は、ベース電極（Ｃ）１６０であり、短い電極は、ドレンタンク２４にドレン８を溜めることができる限界レベルであるとともにドレン抑制処理に移行するレベルとして水位（Ｈ）を検出する水位センサ１６２である。
【００７３】
このドレン排出処理では、浴槽８が排水タイミングであるか否かを監視する（ステップＳ７１）。排水タイミングか否かは、例えば、浴槽８内の浴槽水が排水され、ふろ水位センサ７６による検出レベルが急激に減少したこと等を以て判断する。浴槽８が排水タイミングである（ステップＳ７１のＹＥＳ）場合には、ドレン１８の排出処理、及び追焚循環路６２等の配管洗浄処理に移行する。ドレン排出処理及び配管洗浄処理（ステップＳ７３〜ステップＳ７９）は、既述のステップＳ２４〜ステップＳ３０（図７）と同様であるので、説明を省略する。浴槽８が排水タイミングとなっていない（ステップＳ７１のＮＯ）場合には、ドレン１８がドレンタンク２４内の限界レベルである水位（Ｈ）まで溜まったか否かの監視を行う（ステップＳ８０）。浴槽８が排水タイミングとならない場合には、ドレン１８が水位（Ｈ）に達するまで繰り返し監視を行う（ステップＳ８０のＮＯ）。
【００７４】
ドレン１８が水位（Ｈ）に達している場合（ステップＳ８０のＹＥＳ）、例えば台所リモコン装置８４や浴室リモコン装置８６の排水ランプ表示部１４４、１４６を点滅させる（ステップＳ８１）とともに、音声報知部１４８、１５０からドレンタンク２４が限界水位（Ｈ）に達した旨や排水部６６の排水栓を抜くように促す旨の音声報知を２回程度行う（ステップＳ８２）。報知処理の後、ドレン抑制処理に移行する（ステップＳ８３）。ドレン抑制処理では、浴槽８が排水タイミングとなっているか否かの監視を行う（ステップＳ８４）。排水タイミングとなっていない（ステップＳ８４のＮＯ）場合には、排水栓が抜かれるまで待機する。その場合、給湯機能等のその他の機能が動作中であるか否かの判断（ステップＳ８６）を行い、その他の機能等が動作中である（ステップＳ８６のＹＥＳ）場合には、排水を促す旨の音声報知を行う（ステップＳ８７）。即ち、この実施の形態では、ドレン抑制処理によりドレン１８が発生がほとんど０であるため、ドレンタンク２４が限界レベルである水位（Ｈ）を越えても、給湯・追焚装置２の運転の制限等を行わず、ドレン１８が発生を伴う機能の動作を行っている場合に音声報知を行う構成となっている。
【００７５】
また、排水タイミングとなっている（ステップＳ８４のＹＥＳ）場合であって、追焚動作がない（ステップＳ８５のＹＥＳ）場合には、ドレン排出処理に移行する。ドレン排出処理を示すステップＳ８８〜ステップＳ９３は、既述のステップＳ５１〜ステップＳ５６（図７）に対応するので、その説明を省略する。そして、ドレン排出処理の後、配管洗浄処理に移行する。
【００７６】
斯かる構成によっても、ドレンタンク２４内のドレン１８のレベルに応じて使用者に対し、ドレン１８が所定レベルに達したこと及び／又はドレン１８の排出を促す報知情報を報知することで、ドレン１８を浴槽水に混入させることなく浴槽８を介して排出させることができる。
【００７７】
〔第３の実施の形態〕
【００７８】
次に、本発明の第３の実施の形態に係る給湯・追焚装置のドレンタンクについて図１２を参照して説明する。図１２は、ドレンタンクを示す図である。なお、図１２において、図１、図２と同一部分には同一符号を付し、その説明を省略する。
【００７９】
この実施の形態では、既述のドレンタンク２４の、内部に溜まったドレン１８の水位検出手段として、圧力センサ１７０を用いた構成である。ドレンタンク２４内のドレン１８の圧力（水圧）は、ドレン１８の体積に比例しており、この場合、ドレンタンク２４の断面積は一定なので、ドレンタンク２４内の圧力は水位変化によって増減する。従って、所定の圧力測定水位（圧力センサ１７０を設置した位置）に対して、ドレンレベルが増加すると、それに伴って検出圧力も増加する。この場合、既述のドレン抑制処理の開始レベルやドレンタンク２４の限界レベルは、それぞれ任意の圧力値を定めて、処理を行う構成とする。
【００８０】
斯かる構成により、ドレンタンク２４内の水位状態を常時監視することが可能となり、また、少しの水位変化でも確認することが可能である。従って、ドレン抑制処理やドレン運転制御処理、ドレンのレベル報知処理や排出処理の開始基準を給湯・追焚装置２の使用頻度等に基づいて任意に設定することも可能となる。
【００８１】
〔その他の実施の形態〕
【００８２】
(1) 上記実施の形態におけるドレン抑制処理では、バイパス管路３６側と二次熱交換器１４側に流す流量を設定した流路切替弁３８を切り替えてドレン１８の発生を抑制させる構成であるが、この流路切替弁３８に代えて、バイパス管路３６側に流入させる流量制御が可能なバイパス弁を設ける構成としてもよい。斯かる構成により、例えば供給される上水Ｗの入水温度が低いほどドレン１８が発生し易いことから、給水温度センサ３４で入水温度を測定し、制御部１２４がその測定温度に応じてバイパス弁の開度を調節し、二次熱交換器１４側に流れる上水Ｗの流量を調節することで、ドレン１８の発生量を抑制することも可能となる。
【００８３】
(2) 上記の実施の形態では、浴槽８が排水状態にならずドレン１８がドレンタンク２４内の所定レベルに達した場合に報知処理を行っているが、これに加えて、前回のドレン排出処理からの経過時間、日数を制御部１２４のタイマ１３０で計測し、ドレン１８がドレンタンク２４の所定レベルに達していなくても、所定日数が経過した場合には報知処理を行う構成としてもよい。給湯・追焚装置２の使用頻度が少なく、ドレン１８の発生量が少ない場合等には、ドレン１８がドレンタンク２４内の所定レベルまで溜まるのに長期間を要する場合もあり、その間、ドレン１８が放置されることになる。従って、ドレンタンク２４内やドレン１８の排出に利用する追焚循環路６２や浴槽８内の衛生状態が問題となることも考えられる。斯かる構成によれば、上記のような場合であっても、長期間ドレン１８が放置されるのを防止できる。
【００８４】
(3) 上記の実施の形態において、ドレンタンク２４に、図示しない暖房回路に設置された暖房用オーバーフロータンク等を連結し、暖房用のオーバーフロー水が導かれるように構成してもよい。
【００８５】
以上述べたように、本発明の最も好ましい実施の形態等について説明したが、本発明は、上記記載に限定されるものではなく、特許請求の範囲に記載され、又は発明を実施するための最良の形態に開示された発明の要旨に基づき、当業者において様々な変形や変更が可能であることは勿論であり、斯かる変形や変更が、本発明の範囲に含まれることは言うまでもない。
【産業上の利用可能性】
【００８６】
本発明は、燃焼排気の潜熱を熱交換する熱交換器を備え、特に、既存の循環路や浴槽を用いて浴槽の排水に合わせてドレンを排出させる熱源装置のドレン処理に関し、浴槽が排水状態とならない場合には、排水を促す報知をし、それでも排水状態にならない場合には、ドレンの抑制や運転制御を行うことで、ドレンの排出処理を適正化し、また、ドレンが浴槽水へと混入するのを防止でき、有用である。
【図面の簡単な説明】
【００８７】
【図１】第１の実施の形態に係る給湯・追焚装置を示す図である。
【図２】第１の実施の形態に係るドレンタンクを示す図である。
【図３】制御装置及びリモコン装置を示す図である。
【図４】台所リモコン装置の一例を示す図である。
【図５】浴室リモコン装置の一例を示す図である。
【図６】給湯・追焚装置の動作を示すフローチャートである。
【図７】給湯・追焚装置の浴槽の排水を促す報知処理及びドレン排出処理を示すフローチャートである。
【図８】給湯・追焚装置の配管洗浄処理を示すフローチャートである。
【図９】ふろ配管洗浄のタイムチャートである。
【図１０】第２の実施の形態に係るドレンタンクを示す図である。
【図１１】第２の実施の形態に係る給湯・追焚装置の浴槽の排水を促す報知処理及びドレン排出処理を示すフローチャートである。
【図１２】第３の実施の形態に係るドレンタンクを示す図である。
【符号の説明】
【００８８】
２  給湯・追焚装置
１２  一次熱交換器
１４  二次熱交換器
１６  追焚用熱交換器
２４  ドレンタンク
３２  流量センサ
３６  バイパス管路
３８  流路切替弁
４０  一次バイパス管路
５４  注湯管路
６２  追焚循環路
６４  循環アダプタ
６６  排水部
６８  ふろポンプ
７６  ふろ水位センサ
７８  切替弁
８２  制御装置
１１４  水位センサ（Ｂ）
１１６  水位センサ（Ｈ）
１４４、１４６  排水ランプ表示部
１４８、１５０  音声報知部
１７０  圧力センサ
【図１】
2008170095.tif 000003
【図２】
2008170095.tif 000004
【図３】
2008170095.tif 000005
【図４】
2008170095.tif 000006
【図５】
2008170095.tif 000007
【図６】
2008170095.tif 000008
【図７】
2008170095.tif 000009
【図８】
2008170095.tif 000010
【図９】
2008170095.tif 000011
【図１０】
2008170095.tif 000012
【図１１】
2008170095.tif 000013
【図１２】
2008170095.tif 000014